(57)【要約】  ワイヤレス通信システムにおけるレイテンシが低くロバストならびに確認応答報告のための方法、システム、およびデバイスについて説明する。受信デバイスが、送信時間間隔(TTI)において送信を受信することができ、送信は、1つまたは複数のシンボルを含むことができる。受信デバイスは、TTIのフォーマットに基づいてアップリンク確認応答チャネル構成を識別することができる。受信デバイスは、アップリンク確認応答チャネル構成に従って、アップリンク確認応答チャネル上で送信デバイスに確認応答メッセージを送ることができる。
2018513593.tif 000002
【特許請求の範囲】
【請求項１】
ワイヤレス通信のための方法であって、
送信時間間隔(TTI)において送信を受信するステップと、
前記TTIのフォーマットに少なくとも部分的に基づいてアップリンク(UL)確認応答(ACK)チャネル構成を識別するステップと、
前記識別されたUL ACKチャネル構成に従って、UL ACKチャネルを介してACKメッセージを送るステップと
を含む方法。
【請求項２】
前記TTIの前記フォーマットは、前記送信のための複数のシンボルを含む、請求項1に記載の方法。
【請求項３】
前記TTIにおける前記送信内の前記複数のシンボルのうちの第1のシンボルを復号するステップと、
前記TTIにおける前記送信内の前記複数のシンボルのうちの第2のシンボルを復号する前に、前記ACKメッセージの伝達と関連付けられるリソースの少なくとも一部分をスケジューリングするステップと
をさらに含む、請求項2に記載の方法。
【請求項４】
前記送信内の前記複数のシンボルの各前記シンボルを受信する前に、前記リソースを利用して、前記ACKメッセージの少なくとも一部分を送るステップをさらに含む、請求項3に記載の方法。
【請求項５】
前記ACKメッセージの前記部分は、少なくとも、パイロット情報、またはチャネル空間フィードバック情報、またはACK/否定ACK(ACK/NACK)情報、またはそれらの組合せを含む、請求項4に記載の方法。
【請求項６】
後続のTTIにおいて2つ以上のシンボル内で前記ACKメッセージを送るステップをさらに含む、請求項2に記載の方法。
【請求項７】
前記UL ACKチャネル構成のために、インターリーブ型周波数分割多元接続(iFDMA)波形を選択するステップをさらに含む、請求項2に記載の方法。
【請求項８】
前記TTIにおける前記送信が、優先度の高い通信と関連付けられていることを判定するステップをさらに含む、請求項2に記載の方法。
【請求項９】
前記TTIの前記フォーマットは、1つのシンボルを含む、請求項1に記載の方法。
【請求項１０】
前記UL ACKチャネル構成のために、インターリーブ型周波数分割多元接続(iFDMA)波形を選択するステップと、
前記iFDMA波形を使用して、前記UL ACKチャネルを介して前記ACKメッセージを送るステップと
をさらに含む、請求項9に記載の方法。
【請求項１１】
前記ACKメッセージと関連付けられる通信メトリックを識別するステップと、
前記通信メトリックに少なくとも部分的に基づいて、前記iFDMA波形の非ゼロトーン値を選択するステップであって、前記非ゼロトーン値は、前記iFDMA波形の所定数のトーン内の非ゼロトーンの数に対応する、選択するステップと
をさらに含む、請求項10に記載の方法。
【請求項１２】
前記iFDMA波形は、直交性およびスペクトル効率を獲得するために、1つまたは複数の他のiFDMA波形と多重化される、請求項11に記載の方法。
【請求項１３】
前記通信メトリックは少なくとも、前記ACKメッセージと関連付けられるレイテンシ属性、または、前記ACKメッセージと関連付けられる周波数ダイバーシティ属性、または、前記ACKメッセージと関連付けられるピーク対平均電力比(PAPR)属性、または、それらの組合せを含む、請求項11に記載の方法。
【請求項１４】
前記TTIにおいて受信される前記送信が、優先度の高い通信と関連付けられていることを判定するステップをさらに含む、請求項10に記載の方法。
【請求項１５】
ワイヤレス通信のための装置であって、
プロセッサと、
前記プロセッサと電子通信しているメモリと、
前記メモリに記憶された命令とを備え、前記命令が、前記プロセッサによって、
送信時間間隔(TTI)において送信を受信し、
前記TTIのフォーマットに少なくとも部分的に基づいてアップリンク(UL)確認応答(ACK)チャネル構成を識別し、
前記識別されたUL ACKチャネル構成に従って、UL ACKチャネルを介してACKメッセージを送るために実行可能である、装置。
【請求項１６】
前記TTIの前記フォーマットは、前記送信のための複数のシンボルを含む、請求項15に記載の装置。
【請求項１７】
前記プロセッサによって、
前記TTIにおける前記送信内の前記複数のシンボルのうちの第1のシンボルを復号し、
前記TTIにおける前記送信内の前記複数のシンボルのうちの第2のシンボルを復号する前に、前記ACKメッセージの伝達と関連付けられるリソースの少なくとも一部分をスケジューリングするために実行可能な命令をさらに備える、請求項16に記載の装置。
【請求項１８】
前記プロセッサによって、
前記送信内の前記複数のシンボルの各前記シンボルを受信する前に、前記リソースを利用して、前記ACKメッセージの少なくとも一部分を送るために実行可能な命令をさらに備える、請求項17に記載の装置。
【請求項１９】
前記ACKメッセージの前記部分は、少なくとも、パイロット情報、またはチャネル空間フィードバック情報、またはACK/否定ACK(ACK/NACK)情報、またはそれらの組合せを含む、請求項18に記載の装置。
【請求項２０】
前記プロセッサによって、
後続のTTIにおいて2つ以上のシンボル内で前記ACKメッセージを送るために実行可能な命令をさらに備える、請求項16に記載の装置。
【請求項２１】
前記プロセッサによって、
前記UL ACKチャネル構成のために、インターリーブ型周波数分割多元接続(iFDMA)波形を選択するために実行可能な命令をさらに備える、請求項16に記載の装置。
【請求項２２】
前記プロセッサによって、
前記TTIにおける前記送信が、優先度の高い通信と関連付けられていることを判定するために実行可能な命令をさらに備える、請求項16に記載の装置。
【請求項２３】
前記TTIの前記フォーマットは、1つのシンボルを含む、請求項15に記載の装置。
【請求項２４】
前記プロセッサによって、
前記UL ACKチャネル構成のために、インターリーブ型周波数分割多元接続(iFDMA)波形を選択し、
前記iFDMA波形を使用して、前記UL ACKチャネルを介して前記ACKメッセージを送るために実行可能な命令をさらに備える、請求項23に記載の装置。
【請求項２５】
前記プロセッサによって、
前記ACKメッセージと関連付けられる通信メトリックを識別し、
前記通信メトリックに少なくとも部分的に基づいて、前記iFDMA波形の非ゼロトーン値を選択するために実行可能な命令をさらに備え、前記非ゼロトーン値は、前記iFDMA波形の所定数のトーン内の非ゼロトーンの数に対応する、請求項24に記載の装置。
【請求項２６】
前記iFDMA波形は、直交性およびスペクトル効率を獲得するために、1つまたは複数の他のiFDMA波形と多重化される、請求項25に記載の装置。
【請求項２７】
前記通信メトリックは少なくとも、前記ACKメッセージと関連付けられるレイテンシ属性、または、前記ACKメッセージと関連付けられる周波数ダイバーシティ属性、または、前記ACKメッセージと関連付けられるピーク対平均電力比(PAPR)属性、または、それらの組合せを含む、請求項25に記載の装置。
【請求項２８】
前記プロセッサによって、
前記TTIにおいて受信される前記送信が、優先度の高い通信と関連付けられていることを判定するために実行可能な命令をさらに備える、請求項24に記載の装置。
【請求項２９】
ワイヤレス通信のための装置であって、
送信時間間隔(TTI)において送信を受信するための手段と、
前記TTIのフォーマットに少なくとも部分的に基づいてアップリンク(UL)確認応答(ACK)チャネル構成を識別するための手段と、
前記識別されたUL ACKチャネル構成に従って、UL ACKチャネルを介してACKメッセージを送るための手段と
を備える装置。
【請求項３０】
前記TTIの前記フォーマットは、前記送信のための複数のシンボルを含む、請求項29に記載の装置。
【請求項３１】
前記TTIにおける前記送信内の前記複数のシンボルのうちの第1のシンボルを復号するための手段と、
前記TTIにおける前記送信内の前記複数のシンボルのうちの第2のシンボルを復号する前に、前記ACKメッセージの伝達と関連付けられるリソースの少なくとも一部分をスケジューリングするための手段と
をさらに備える、請求項30に記載の装置。
【請求項３２】
前記送信内の前記複数のシンボルの各前記シンボルを受信する前に、前記リソースを利用して、前記ACKメッセージの少なくとも一部分を送るための手段をさらに備える、請求項31に記載の装置。
【請求項３３】
前記ACKメッセージの前記部分は、少なくとも、パイロット情報、またはチャネル空間フィードバック情報、またはACK/否定ACK(ACK/NACK)情報、またはそれらの組合せを含む、請求項32に記載の装置。
【請求項３４】
後続のTTIにおいて2つ以上のシンボル内で前記ACKメッセージを送るための手段をさらに備える、請求項30に記載の装置。
【請求項３５】
前記UL ACKチャネル構成のために、インターリーブ型周波数分割多元接続(iFDMA)波形を選択するための手段をさらに備える、請求項30に記載の装置。
【請求項３６】
前記TTIにおける前記送信が、優先度の高い通信と関連付けられていることを判定するための手段をさらに備える、請求項30に記載の装置。
【請求項３７】
前記TTIの前記フォーマットは、1つのシンボルを含む、請求項29に記載の装置。
【請求項３８】
前記UL ACKチャネル構成のために、インターリーブ型周波数分割多元接続(iFDMA)波形を選択するための手段と、
前記iFDMA波形を使用して、前記UL ACKチャネルを介して前記ACKメッセージを送るための手段と
をさらに備える、請求項37に記載の装置。
【請求項３９】
前記ACKメッセージと関連付けられる通信メトリックを識別するための手段と、
前記通信メトリックに少なくとも部分的に基づいて、前記iFDMA波形の非ゼロトーン値を選択するための手段であって、前記非ゼロトーン値は、前記iFDMA波形の所定数のトーン内の非ゼロトーンの数に対応する、選択するための手段と
をさらに備える、請求項38に記載の装置。
【請求項４０】
前記iFDMA波形は、直交性およびスペクトル効率を獲得するために、1つまたは複数の他のiFDMA波形と多重化される、請求項39に記載の装置。
【請求項４１】
前記通信メトリックは少なくとも、前記ACKメッセージと関連付けられるレイテンシ属性、または、前記ACKメッセージと関連付けられる周波数ダイバーシティ属性、または、前記ACKメッセージと関連付けられるピーク対平均電力比(PAPR)属性、または、それらの組合せを含む、請求項39に記載の装置。
【請求項４２】
前記TTIにおいて受信される前記送信が、優先度の高い通信と関連付けられていることを判定するための手段をさらに備える、請求項38に記載の装置。
【請求項４３】
ワイヤレス通信のためのコンピュータ実行可能コードを記憶した非一時的コンピュータ可読媒体であって、前記コードが、プロセッサによって、
送信時間間隔(TTI)において送信を受信し、
前記TTIのフォーマットに少なくとも部分的に基づいてアップリンク(UL)確認応答(ACK)チャネル構成を識別し、
前記識別されたUL ACKチャネル構成に従って、UL ACKチャネルを介してACKメッセージを送るために実行可能である、非一時的コンピュータ可読媒体。
【発明の詳細な説明】
【技術分野】
【０００１】
相互参照
本特許出願は、各々が本出願の譲受人に譲渡された、2015年11月16日に出願された「Low Latency Uplink Acknowledgement Channel Waveform Design」と題する、Jiangらによる米国特許出願第14/942,183号、および2015年3月13日に出願された「Low Latency Uplink Acknowledgement Channel Waveform Design」と題する、Jiangらによる米国仮特許出願第62/133,271号の優先権を主張する。
【０００２】
本開示は、たとえばワイヤレス通信システムに関し、より詳細には、ロバストな低レイテンシアップリンク確認応答チャネル設計のための技術に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、および直交周波数分割多元接続(OFDMA)システムがある。
【０００４】
例として、ワイヤレス多元接続通信システムは、ユーザ機器(UE)としても知られている複数の通信デバイスのための通信を各々が同時にサポートする、いくつかの基地局を含み得る。基地局は、ダウンリンクチャネル(たとえば、基地局からUEへの送信用)およびアップリンクチャネル(たとえば、UEから基地局への送信用)上でUEと通信し得る。
【０００５】
ワイヤレス通信システムは、誤り検出および訂正機能を提供するために、再送信手順を利用することが多い。たとえば、受信デバイス(UEまたは基地局)が、送信を受信し、トランスポートブロックが誤りなく復号されていることを確認し、その後、トランスポートブロックの復号に成功していることを確認する肯定応答(ACK)メッセージを、送信デバイス(基地局またはUE)に送ることができる。誤りが検出された場合、受信デバイスは送信デバイスに否定応答(NACK)を送り、送信デバイスは、再送信手順を開始する。ACK/NACKメッセージは一般的に、受信デバイスから送信デバイスへの専用チャネルを介して、たとえば、物理ハイブリッド自動再送要求(HARQ)インジケータチャネル(PHICH)、物理アップリンク制御チャネル(PUCCH)などを介して送信される。従来の通信システムは、ACK/NACK情報を通信するときにレイテンシ問題を考慮することができず、ACK/NACK送信においてロバスト性を与えることができない。
【発明の概要】
【課題を解決するための手段】
【０００６】
説明する特徴は、一般に、ワイヤレス通信システムにおける確認応答チャネル構成設計のための1つまたは複数の改善されたシステム、方法、および/または装置に関する。本明細書の特定の態様は、受信デバイスが、優先度の高い送信(たとえば、時間的制約のある必要不可欠な送信)に関するレイテンシ問題に対処するACK/NACK送信のための構成を決定し、ACK/NACK送信にロバスト性を与えるために、様々な技法を利用する。たとえば、受信デバイスは、送信時間間隔(TTI)において送信を受信することができる。受信デバイスは、TTIのフォーマット、たとえば、TTI内に含まれるシンボルの数、TTIにおける送信の優先度などに基づいて、アップリンク(UL)ACKチャネル構成を識別、または他の様態で決定することができる。したがって、受信デバイスは、識別されたUL ACKチャネル構成に従って、UL ACKチャネルを介して送信デバイスにACKメッセージ(または、誤りが検出されたときはNACKメッセージ)を送ることができる。ACKメッセージは、いくつかの態様では、従来のACKメッセージ送信よりも迅速に送信することができ、かつ/または、ACK送信のロバスト性の改善を可能にするように送信することができる。
【０００７】
説明のための例の第1のセットにおいて、ワイヤレス通信のための方法が説明される。方法は、送信時間間隔(TTI)において送信を受信するステップと、TTIのフォーマットに少なくとも部分的に基づいてUL ACKチャネル構成を識別するステップと、識別されたUL ACKチャネル構成に従って、UL ACKチャネルを介してACKメッセージを送るステップとを含むことができる。
【０００８】
いくつかの例では、TTIのフォーマットは、送信のための複数のシンボルを含むことができる。方法は、TTIにおける送信内の複数のシンボルのうちの第1のシンボルを復号するステップと、TTIにおける送信内の複数のシンボルのうちの第2のシンボルを復号する前に、ACKメッセージの伝達と関連付けられるリソースの少なくとも一部分をスケジューリングするステップとを含むことができる。方法は、送信内の複数のシンボルの各シンボルを受信する前に、リソースを利用して、ACKメッセージの少なくとも一部分を送るステップを含むことができる。
【０００９】
いくつかの例では、ACKメッセージの少なくとも一部分は、少なくとも、パイロット情報、またはチャネル空間フィードバック情報、またはACK/NACK情報、またはそれらの組合せを含むことができる。方法は、後続のTTIにおいて2つ以上のシンボル内でACKメッセージを送るステップを含むことができる。方法は、UL ACKチャネル構成のために、インターリーブ型周波数分割多元接続(iFDMA)波形を選択するステップを含むことができる。方法は、TTIにおける送信が、優先度の高い通信と関連付けられていることを判定するステップを含むことができる。
【００１０】
いくつかの例では、TTIのフォーマットは1つのシンボルを含むことができる。方法は、UL ACKチャネル構成のためにiFDMA波形を選択するステップと、iFDMA波形を使用するUL ACKチャネルを介してACKメッセージを送るステップとを含むことができる。方法は、ACKメッセージと関連付けられる通信メトリックを識別するステップと、通信メトリックに少なくとも部分的に基づいて、iFDMA波形の非ゼロトーン値を選択するステップであって、非ゼロトーン値は、iFDMA波形の所定数のトーン内の非ゼロトーンの数に対応する、選択するステップとを含むことができる。
【００１１】
いくつかの例では、iFDMA波形は、直交性およびスペクトル効率を獲得するために、1つまたは複数の他のiFDMA波形と多重化することができる。通信メトリックは少なくとも、ACKメッセージと関連付けられるレイテンシ属性、または、ACKメッセージと関連付けられる周波数ダイバーシティ属性、または、ACKメッセージと関連付けられるピーク対平均電力比(PAPR)属性、または、それらの組合せを含んでもよい。方法は、TTIにおいて受信された送信が、優先度の高い通信と関連付けられていることを判定するステップを含むことができる。
【００１２】
説明のための例の第2のセットにおいて、ワイヤレス通信のための装置が説明される。装置は、プロセッサと、プロセッサと電子通信しているメモリと、メモリ内に記憶された命令とを含み得る。命令はプロセッサによって、TTIにおいて送信を受信するステップと、TTIのフォーマットに少なくとも部分的に基づいてUL ACKチャネル構成を識別するステップと、識別されたUL ACKチャネル構成に従って、UL ACKチャネルを介してACKメッセージを送るステップとを行うために実行可能である。
【００１３】
いくつかの例では、TTIのフォーマットは、送信のための複数のシンボルを含むことができる。装置は、プロセッサによって、TTIにおける送信内の複数のシンボルのうちの第1のシンボルを復号するステップと、TTIにおける送信内の複数のシンボルのうちの第2のシンボルを復号する前に、ACKメッセージの伝達と関連付けられるリソースの少なくとも一部分をスケジューリングするステップとを行うために実行可能な命令を含むことができる。装置は、プロセッサによって、送信内の複数のシンボルの各シンボルを受信する前に、リソースを利用して、ACKメッセージの少なくとも一部分を送るステップを行うために実行可能な命令を含むことができる。ACKメッセージの少なくとも一部分は、少なくとも、パイロット情報、またはチャネル空間フィードバック情報、またはACK/NACK情報、またはそれらの組合せを含むことができる。
【００１４】
いくつかの例では、装置は、プロセッサによって、後続のTTIにおいて2つ以上のシンボル内でACKメッセージを送るステップを行うために実行可能な命令を含むことができる。装置は、プロセッサによって、UL ACKチャネル構成のためにiFDMA波形を選択するステップを行うために実行可能な命令を含むことができる。装置は、プロセッサによって、TTIにおける送信が、優先度の高い通信と関連付けられていることを判定するステップを行うために実行可能な命令を含むことができる。
【００１５】
いくつかの例では、TTIのフォーマットは、送信のための1つのシンボルを含むことができる。装置は、プロセッサによって、UL ACKチャネル構成のためにiFDMA波形を選択するステップと、iFDMA波形を使用するUL ACKチャネルを介してACKメッセージを送るステップとを行うために実行可能な命令を含むことができる。装置は、プロセッサによって、ACKメッセージと関連付けられる通信メトリックを識別するステップと、通信メトリックに少なくとも部分的に基づいて、iFDMA波形の非ゼロトーン値を選択するステップであって、非ゼロトーン値は、iFDMA波形の所定数のトーン内の非ゼロトーンの数に対応する、選択するステップとを行うために実行可能な命令を含むことができる。
【００１６】
いくつかの例では、iFDMA波形は、直交性およびスペクトル効率を獲得するために、1つまたは複数の他のiFDMA波形と多重化することができる。通信メトリックは少なくとも、ACKメッセージと関連付けられるレイテンシ属性、または、ACKメッセージと関連付けられる周波数ダイバーシティ属性、または、ACKメッセージと関連付けられるPAPR属性、または、それらの組合せを含んでもよい。装置は、プロセッサによって、TTIにおいて受信された送信が、優先度の高い通信と関連付けられていることを判定するステップを行うために実行可能な命令を含むことができる。
【００１７】
説明のための例の第3のセットにおいて、ワイヤレス通信のための装置が説明される。装置は、TTIにおいて送信を受信するための手段と、TTIのフォーマットに少なくとも部分的に基づいてUL ACKチャネル構成を識別するための手段と、識別されたUL ACKチャネル構成に従って、UL ACKチャネルを介してACKメッセージを送るための手段とを含むことができる。
【００１８】
いくつかの例では、TTIのフォーマットは、送信のための複数のシンボルを含むことができる。装置は、TTIにおける送信内の複数のシンボルのうちの第1のシンボルを復号するための手段と、TTIにおける送信内の複数のシンボルのうちの第2のシンボルを復号する前に、ACKメッセージの伝達と関連付けられるリソースの少なくとも一部分をスケジューリングするための手段とを含むことができる。
【００１９】
説明のための例の第4のセットにおいて、ワイヤレス通信のためのコンピュータ実行可能コードを記憶する非一時的コンピュータ可読媒体が説明される。コードはプロセッサによって、送信時間間隔(TTI)において送信を受信するステップと、TTIのフォーマットに少なくとも部分的に基づいてアップリンク(UL)確認応答(ACK)チャネル構成を識別するステップと、識別されたUL ACKチャネル構成に従って、UL ACKチャネルを介してACKメッセージを送るステップとを行うために実行可能である。
【００２０】
上では、以下の発明を実施するための形態がより良く理解され得るように、本開示による例の特徴および技術的利点をかなり広く概説した。追加の特徴および利点は、以下で説明される。開示される概念および具体例は、本開示の同じ目的を実行するための他の構造を変更または設計するための基礎として容易に利用され得る。そのような等価な構造は、添付の特許請求の範囲の範囲から逸脱しない。本明細書で開示される概念の特性、それらの編成と動作の方法の両方が、添付の図とともに検討されると、関連する利点とともに以下の説明からより良く理解されよう。図の各々は、例示および説明のために提供され、特許請求の範囲の限界を定めるものではない。
【００２１】
本発明の性質および利点のさらなる理解は、添付の図面を参照することによって実現することができる。添付の図面において、類似の構成要素または特徴は、同じ参照符号を有することができる。さらに、同じタイプの様々な構成要素は、類似の構成要素を区別するダッシュおよび第2の符号を参照符号に続けることによって区別され得る。第1の参照符号のみが本明細書において使用される場合には、その説明は、第2の参照符号にかかわらず、同じ第1の参照符号を有する同様の構成要素のうちのいずれか1つに適用可能である。
【図面の簡単な説明】
【００２２】
【図１】本開示の様々な態様による、ワイヤレス通信システムのブロック図である。
【図２】本開示の様々な態様による、ワイヤレス通信における確認応答手順の態様を示すスイム図である。
【図３】本開示の様々な態様による、ワイヤレス通信における確認応答手順の態様を示すスイム図である。
【図４】本開示の様々な態様による、ワイヤレス通信で使用するための確認応答方式の例の態様を示す図である。
【図５】本開示の様々な態様による、ワイヤレス通信における確認応答手順の態様を示すスイム図である。
【図６】本開示の様々な態様による、ワイヤレス通信で使用するために構成されたデバイスのブロック図である。
【図７】本開示の様々な態様による、ワイヤレス通信で使用するために構成されたデバイスのブロック図である。
【図８】本開示の様々な態様による、ワイヤレス通信で使用するためのユーザ機器のブロック図である。
【図９】本開示の様々な態様による、ワイヤレス通信において使用する基地局(たとえば、eNBの一部またはすべてを形成する基地局)のブロック図である。
【図１０】本開示の様々な態様による、ワイヤレス通信のための方法の一例を示すフローチャートである。
【図１１】本開示の様々な態様による、ワイヤレス通信のための方法の別の例を示すフローチャートである。
【図１２】本開示の様々な態様による、ワイヤレス通信のための方法の別の例を示すフローチャートである。
【発明を実施するための形態】
【００２３】
従来の確認応答および再送信手順は、受信デバイスが、第1の送信時間間隔(TTI)の間に送信を受信するステップと、送信を処理して誤りを識別するステップと、送信が受信された所定数n(nは正数である)のTTI後に、肯定応答(ACK)または否定応答(NACK)によって応答するステップとを含み得る。いくつかの例では、ユーザ機器(UE)が、構成に応じて、情報の受信が確認応答された4TTI、6TTI、または何らかの他の数のTTI後に、送信デバイス4にACK/NACKメッセージを送り得る。ACKメッセージは、いくつかの例では、ACKチャネル(たとえば、物理ハイブリッド自動再送要求(HARQ)インジケータチャネル(PHICH)、物理アップリンク制御チャネル(PUCCH)など)上で送信される1つまたは2つのACK/NACKビットから構成される。
【００２４】
しかしながら、送信が受信された所定数nのTTI後にACK/NACKメッセージが送信される結果として、低いレイテンシから受益し得る特定のタイプの送信、たとえば、必要不可欠または優先度の高い送信において、遅延がもたらされる場合がある。一般的に、そのような送信は、ACKメッセージが受信されるまでの、送信が行われる間の時間として決定される、送信の往復時間(RTT)を低減するために、低いレイテンシから受益し得る。加えて、そのような送信タイプはまた、従来のACK/NACK手順にまさるロバスト性の改善からも受益し得る。たとえば、ACK/NACKメッセージのための1または2ビットを含む従来の技法は、ACK/NACKメッセージ自体が破損した特定の環境においては正常に機能しない場合がある。その状況においては、送信デバイスは、情報を再送信することを余儀なくされる場合があり、これによってRTTがさらに増大する。
【００２５】
本明細書の態様によれば、受信デバイスは、様々な技法を利用して、レイテンシを低下させ、かつ/または、ACK/NACK送信のロバスト性を改善することができる。一般的に、受信デバイスは、波形設計および/またはマルチシンボルTTI設計の様々態様を利用してレイテンシを低下させ、ACK送信のロバスト性を改善し、ピーク対平均電力比(PAPR)などを低下させることができる。たとえば、受信デバイスは、TTIにおいて送信デバイスから送信を受信することができる。TTIは、無線リンク上での送信の持続時間を識別し得る。受信デバイスは、TTIのフォーマットに基づいてアップリンク(UL)ACKチャネル構成を識別することができる。いくつかの例では、UL ACKチャネル構成は、UL ACKチャネル上でインターリーブ型周波数分割多元接続(iFDMA)波形設計を使用すること、および/または、UL ACKチャネル上でTTIあたり複数のシンボルを利用することを含み得る。受信デバイスは、UL ACKチャネル構成に従って、UL ACKチャネル上で確認応答メッセージ(たとえば、ACKメッセージまたはNACKメッセージ)を送ることができる。
【００２６】
便宜上、本明細書は一般に、受信デバイスが、TTIのフォーマットに基づいてUL ACKチャネル構成を識別または他の様態で決定することを説明する。たとえば、UEは、記載されている技法を利用して、ACK/NACKメッセージを送るためのUL ACKチャネル(たとえば、PUCCH)構成を決定することができる。しかしながら、記載されている技法は、ダウンリンク(DL)ACKチャネルにも等しく適用可能であることは理解されたい。たとえば、基地局は、記載されている技法を利用して、ACK/NACKメッセージを送るためのDL ACKチャネル(たとえば、PHICH)構成を決定することができる。それゆえ、受信デバイスに対する参照では、UE(基地局-UE通信またはUE-UE通信の場合)および/または基地局(UE-基地局または基地局-基地局通信の場合)を参照する場合がある。
【００２７】
以下の説明は、例を提供するものであり、特許請求の範囲に記載された範囲、適用性、または例を限定するものではない。説明する要素の機能および構成において、本開示の範囲から逸脱することなく変更が加えられ得る。様々な例は、必要に応じて、様々な手順または構成要素を省略、置換、または追加することができる。たとえば、説明する方法は、説明する順序とは異なる順序で実行されてもよく、様々なステップが追加、省略、または組み合わされてもよい。また、いくつかの例に関して説明する特徴は、他の例において結合され得る。
【００２８】
図1は、本開示の様々な態様による、ワイヤレス通信システム100の一例を示す。ワイヤレス通信システム100は、基地局105、UE115、およびコアネットワーク130を含む。コアネットワーク130は、ユーザ認証、アクセス許可、追跡、インターネットプロトコル(IP)接続性、および他のアクセス機能、ルーティング機能、またはモビリティ機能を提供し得る。基地局105は、バックホールリンク132(たとえば、S1など)を通じてコアネットワーク130とインターフェースし、UE115との通信のための無線構成およびスケジューリングを実行し得るか、または基地局コントローラ(図示せず)の制御下で動作し得る。様々な例では、基地局105は、有線通信リンクまたはワイヤレス通信リンクとすることができるバックホールリンク134(たとえば、X1など)を介して、直接、または間接的に(たとえば、コアネットワーク130を通して)のいずれかで、互いに通信することができる。
【００２９】
基地局105は、1つまたは複数の基地局アンテナを介して、UE115とワイヤレスに通信することができる。基地局105の各サイトは、それぞれの地理的カバレージエリア110に通信カバレージを与えることができる。いくつかの例では、基地局105は、トランシーバ基地局、無線基地局、アクセスポイント、無線送受信機、NodeB、eNodeB(eNB)、ホームNodeB、ホームeNodeB、または何らかの他の適切な用語で呼ばれることがある。基地局105の地理的カバレージエリア110は、カバレージエリアの一部分のみを構成するセクタ(図示せず)に分割され得る。ワイヤレス通信システム100は、異なるタイプの基地局105(たとえば、マクロセル基地局および/またはスモールセル基地局)を含むことができる。異なる技術のための重複する地理的カバレージエリア110が存在する場合がある。
【００３０】
いくつかの例では、ワイヤレス通信システム100は、LTE/LTE-Aネットワークである。LTE/LTE-Aネットワークでは、発展型ノードB(eNB)という用語は、一般に基地局105を表すために使用され得るが、UEという用語は、一般にUE115を表すために使用され得る。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、および/または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る3GPP用語である。
【００３１】
マクロセルは、一般に、比較的大きい地理的エリア(たとえば、半径数キロメートル)をカバーし、ネットワークプロバイダのサービスに加入しているUEによる無制限アクセスを可能にすることができる。スモールセルは、マクロセルと比較すると、マクロセルと同じまたはマクロセルとは異なる(たとえば、認可、無認可などの)周波数帯域で動作し得る低電力基地局である。スモールセルは、様々な例に従って、ピコセル、フェムトセル、およびマイクロセルを含むことができる。ピコセルは、比較的小さい地理的エリアをカバーすることができ、ネットワークプロバイダのサービスに加入しているUEによる無制限アクセスを可能にすることができる。フェムトセルも、比較的小さい地理的エリア(たとえば、自宅)をカバーすることができ、フェムトセルとの関連性を有するUE(たとえば、限定加入者グループ(CSG)の中のUE、自宅内のユーザのためのUEなど)による制限付きアクセスを提供することができる。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートすることができる。
【００３２】
ワイヤレス通信システム100は、同期動作または非同期動作をサポートすることができる。同期動作の場合、基地局は、同様のフレームタイミングを有することができ、異なる基地局からの送信を、時間的に概ね揃えることができる。非同期動作の場合、基地局は、異なるフレームタイミングを有することができ、異なる基地局からの送信は、時間的に揃えられない場合がある。本明細書において説明される技法は、同期動作または非同期動作のいずれかに使用することができる。
【００３３】
開示される様々な例のいくつかに適応することができる通信ネットワークは、階層化プロトコルスタックに従って動作するパケットベースネットワークとすることができる。ユーザプレーンでは、ベアラまたはパケットデータコンバージェンスプロトコル(PDCP)レイヤにおける通信は、IPベースとすることができる。無線リンク制御(RLC)レイヤは、論理チャネルを介して通信するために、パケットのセグメンテーションおよびリアセンブリを実行することができる。媒体アクセス制御(MAC)レイヤは、優先度処理および論理チャネルのトランスポートチャネルへの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤは、UE115とユーザプレーンデータのための無線ベアラをサポートするコアネットワーク130または基地局105との間のRRC接続の確立、構成、およびメンテナンスを提供し得る。物理(PHY)層では、トランスポートチャネルは、物理チャネルにマッピングされ得る。
【００３４】
UE115は、ワイヤレス通信システム100全体にわたって分散され、各UE115は固定またはモバイルとすることができる。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むことがあり、または当業者によってそのように呼ばれることがある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、マクロeNB、スモールセルeNB、中継基地局などを含む、様々なタイプの基地局およびネットワーク機器と通信することが可能であり得る。
【００３５】
ワイヤレス通信システム100内に示した通信リンク125は、UE115から基地局105へのUL送信、および/または基地局105からUE115へのDL送信を含む場合がある。DL送信はフォワードリンク送信とも呼ばれ得、UL送信はリバースリンク送信とも呼ばれ得る。各通信リンク125は、1つまたは複数のキャリアを含むことができ、各キャリアは、上記で説明された様々な無線技術に従って変調される複数のサブキャリア(たとえば、異なる周波数の波形信号)から構成される信号とすることができる。各被変調信号は、異なるサブキャリア上で送信することができ、制御情報(たとえば、基準信号、制御チャネルなど)、オーバーヘッド情報、ユーザデータなどを搬送することができる。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。FDD用のフレーム構造(たとえば、フレーム構造タイプ1)およびTDD用のフレーム構造(たとえば、フレーム構造タイプ2)が定義され得る。
【００３６】
システム100のいくつかの実施形態では、基地局105および/またはUE115は、アンテナダイバーシティ方式を使用して基地局105とUE115との間の通信品質および信頼性を向上させるための複数のアンテナを含み得る。追加または代替として、基地局105および/またはUE115は、マルチパス環境を利用して、同じまたは異なる符号化データを搬送する複数の空間レイヤを送信することができる、多入力多出力(MIMO)技法を採用し得る。
【００３７】
ワイヤレス通信システム100は、複数のセルまたはキャリア上の動作をサポートし得、この機能は、キャリアアグリゲーション(CA)またはマルチキャリア動作と呼ばれることがある。キャリアは、コンポーネントキャリア(CC)、層、チャネルなどと呼ばれることもある。「キャリア」、「コンポーネントキャリア」、「セル」、および「チャネル」という用語は、本明細書で互換的に使用され得る。UE115は、キャリアアグリゲーションのための複数のDL CCおよび1つまたは複数のUL CCとともに構成され得る。キャリアアグリゲーションは、FDDコンポーネントキャリアとTDDコンポーネントキャリアの両方とともに使用され得る。
【００３８】
ワイヤレス通信システム100は、レイテンシを低減し、PAPRを低下させ、確認応答報告メッセージのロバスト性を改善するためのACKチャネル構成をサポートすることができる。たとえば、受信デバイス(たとえば、UE115または基地局105)は、TTIにおいて、送出または送信デバイスから送信を受信することができる。TTIのフォーマットは、TTI内の1つのシンボルまたはTTI内の複数のシンボルを含んでもよい。受信デバイスは、TTIのフォーマットに基づいてUL(またはDL)ACKチャネル構成を識別することができる。ACKチャネル構成は、広帯域波形設計(たとえば、iFDMA波形)を利用すること、および/または、(マルチシンボルTTI設計の場合)TTI内のすべてのシンボルを復号する前に、確認応答リソースをスケジューリングすることを含むことができる。したがって、受信デバイスは、識別されたUL(またはDL)ACKチャネル構成に従って、UL(またはDL)ACKチャネル上でACKメッセージを送ることができる。
【００３９】
いくつかの態様では、広帯域波形設計は、確認応答報告の高い信頼性またはロバスト性を達成し、レイテンシを低下させるために、広い帯域幅にわたって周波数ダイバーシティを捕捉するiFDMA波形を含むことができる。一般に、iFDMA波形は、一定の期間にわたって確認応答情報を繰り返すために、kトーン(たとえば、16トーン)ごとに1つの非ゼロトーンを使用することができる。確認応答情報をより広い帯域幅にわたって拡散させることによって、確認応答報告のPAPRを低下させることができる。その上、UL制御チャネルは、パイロット信号および制御情報(たとえば、チャネル空間フィードバック(CSF)情報)を確認応答報告に組み込むことができる。CSF情報は、誤りを含む送信の再送信において変調およびコーディング方式(MCS)適合を可能にすることができる。広帯域波形設計の他の例は、周波数ホッピングを用いる局所FDMA(LFDMA)波形設計、広帯域符号分割多元接続(CDMA)波形設計、または、他のUE115、基地局105などに対する干渉を回避もしくは制限しながら周波数ダイバーシティを捕捉する何らかの他の広帯域波形設計を含むことができる。
【００４０】
図2は、本開示の様々な態様による、確認応答動作の態様を示すスイム図200である。図200は、図1を参照しながら説明したシステム100の態様を示し得る。図200は、受信デバイス205と、送信デバイス210とを含む。受信デバイス205および/または送信デバイス210は、図1に関して上記で説明した基地局105および/またはUE115のうちの1つまたは複数の例であり得る。一般に、図200は、ワイヤレス波通信システムにおけるロバストな低レイテンシ確認応答手順を実施する態様を示す。いくつかの例では、基地局105のうちの1つおよび/またはUE115のうちの1つなどのシステムデバイスは、以下で説明する機能の一部または全部を実行するために、デバイスの機能要素を制御するためのコードの1つまたは複数のセットを実行し得る。
【００４１】
ブロック215において、受信デバイス205は、送信220を送信デバイス210から受信し得る。送信は、TTI、たとえば、ワイヤレス信号の送信と関連付けられる時間間隔であってもよい。TTIは、送信内に1つまたは複数のシンボルを含むフォーマットを有することができる。
【００４２】
ブロック225において、受信デバイス205は、TTIのフォーマットに基づいてUL ACKチャネル構成を識別することができる。たとえば、受信デバイス205は、低レイテンシ問題に対処し、ACK報告のPAPRを低減し、確認応答報告のリンクバジェット報告に対処するUL ACKチャネル構成を選択することができる。UL ACKチャネル構成の態様はまた、確認応答報告と関連付けられるパイロット情報および/または制御情報(たとえば、CSF)の送信も可能にすることができる。いくつかの例では、UL ACKチャネル構成は、広帯域波形を利用すること、TTI内の複数のシンボルを最適化する確認応答報告方式を実装すること、またはそれらの組合せを含むことができる。
【００４３】
ブロック230において、受信デバイス205は、UL ACKチャネル上で、識別されたUL ACKチャネル構成に従って、送信デバイス210にACKメッセージ235を送ることができる。たとえば、受信デバイス205は、TTI設計あたり複数のシンボルを使用するなどして周波数ダイバーシティを達成するために、広帯域波形パターンを使用してACKメッセージを送ることができる。
【００４４】
図3は、本開示の様々な態様による、確認応答動作の態様を示すスイム図300である。図300は、図1を参照しながら説明したシステム100の態様を示し得る。図300は、受信デバイス305と、送信デバイス310とを含む。受信デバイス305および/または送信デバイス310は、図1に関して上記で説明した基地局105および/またはUE115のうちの1つまたは複数の例であり得る。一般に、図300は、ワイヤレス波通信システムにおけるロバストな低レイテンシ確認応答手順を実施する態様を示す。いくつかの例では、基地局105のうちの1つおよび/またはUE115のうちの1つなどのシステムデバイスは、以下で説明する機能の一部または全部を実行するために、デバイスの機能要素を制御するためのコードの1つまたは複数のセットを実行し得る。
【００４５】
ブロック315において、受信デバイス305は、送信320を送信デバイス310から受信し得る。送信は、TTI、たとえば、ワイヤレス信号の送信と関連付けられる時間間隔であってもよい。TTIは、送信内に2つ以上のシンボルを含むフォーマットを有することができる。たとえば、TTIは、2つ、3つ、4つ、または何らかの他の数のシンボルを含むことができる。
【００４６】
ブロック325において、受信デバイス305は、TTIにおける送信内の複数のシンボルのうちの第1のシンボルを復号することができる。たとえば、受信デバイス305は、送信内の第2のシンボル、第3のシンボルなどを依然として受信しながら、第1のシンボルを復号することができる。したがって、受信デバイス305は、第1のシンボルの復号に基づいて、送信が受信デバイス305向けに意図されていること、および、確認応答報告が送信に対して期待されることを判定することができる。したがって、ブロック330において、受信デバイスは、確認応答報告情報の送出と関連付けられる1つまたは複数のリソースをスケジューリングすることができる。受信デバイス305は、335において、送信デバイス310とともに、リソース、たとえば、UL ACKチャネルリソースをスケジューリングすることができる。受信デバイス305は、第1のシンボルの復号に基づいて、いくつかの例では、送信内の残りのシンボルを復号する前に、リソースをスケジューリングすることができる。図4を参照してより詳細に説明するように、この特徴は、送信と関連付けられるレイテンシおよびRTT属性を改善することができ、いくつかの態様では、確認応答報告においてロバスト性を与えることができる。
【００４７】
ブロック340において、受信デバイス305は、TTIのフォーマットに基づいてUL ACKチャネル構成を識別することができる。たとえば、受信デバイス305は、TTIにおける送信に含まれるシンボルの数に基づいてUL ACKチャネル構成を選択することができる。UL ACKチャネル構成の態様はまた、確認応答報告と関連付けられるパイロット情報および/または制御情報(たとえば、CSF)の送信も可能にすることができる。いくつかの例では、UL ACKチャネル構成は、よりロバストな確認応答報告を与えるために、TTIにおける送信内の複数のシンボルを活用することができる。
【００４８】
ブロック345において、受信デバイス305は、UL ACKチャネル上で、識別されたUL ACKチャネル構成に従って、送信デバイス310にACKメッセージ350を送ることができる。たとえば、受信デバイス305は、確認応答報告を伝達するために、1つまたは複数の後続のTTIにおける複数のシンボルを使用して、ACKメッセージを送出することができる。
【００４９】
図4は、本開示の様々な態様による、ワイヤレス通信で使用するための例示的な確認応答方式の態様の図400を示す。図400は、図1を参照しながら説明したシステム100の態様を示し得る。一般に、図400は、受信デバイスと送信デバイスとの間の確認応答報告の1つまたは複数の態様の例を示す。いくつかの例では、図1、図2、および/または図3を参照して説明した、基地局105などの1つもしくは複数の基地局、UE115、受信デバイス205および/または305などのシステムデバイスが、図400に関して示されている機能の一部または全部を実行するために、デバイスの機能要素を制御するためのコードの1つまたは複数のセットを実行し得る。
【００５０】
一般に、図400は、TTIにおける送信内の1つ、2つ、3つ、または4つのシンボルを使用する確認応答報告の態様を示す。すなわち、TTIは、1つ、2つ、3つ、または4つのシンボルを含むフォーマットを有することができる。TTIは、一般に、無線リンク層上での送信の持続時間として参照される。特定の態様では、TTIは、より上位の層、たとえば、MAC層から無線リンク層において受信されるデータブロックのサイズと関連付けられ得る。シンボルは、一般的に、所与のサブキャリアまたはトーン上の一定の時間フレーム内の情報のブロックを指し得る。本明細書の態様は、確認応答報告を改善するために、TTI送信のフォーマットを活用することができる。
【００５１】
一般に、確認応答報告は、ARQまたはHARQプロセスと関連付けることができる。一例として、図400のTTIあたり1つのシンボルの一例を参照すると、送信デバイスは、TTI 405-a中に送信を送出することができ、受信デバイスは、TTI 405-b中に、受信された送信を処理し、TTI 405-c中に確認応答情報(ACK/NACK)を送出することができ、送信デバイスは、TTI 405-d中に確認応答情報を処理する。このHARQプロセスは、誤り、破損などに起因して損失した情報の再送信を可能にすることができる。
【００５２】
本開示の特定の態様では、受信デバイスは、ACKメッセージを送出するためのUL ACKチャネル構成の少なくとも1つの構成要素として、広帯域波形設計を利用することができる。たとえば、広帯域波形は、iFDMA波形、周波数ホッピングLFDMA波形、CDMA波形、または、周波数ダイバーシティを達成する何らかの他の波形設計を含むことができる。一般に、広帯域波形設計は、周波数ダイバーシティを達成するが、他のデバイスに対する干渉を引き起こすことはない。広帯域波形設計はまた、ACKメッセージ、パイロット情報、CSF情報などを、広帯域信号の複数のトーンにわたって拡散することができるという点において、信頼性の改善を可能にすることができる。いくつかの例では、広帯域トーンは、確認応答報告のPAPRを低減するために、Zadoff-Chuシーケンスを使用することができる。たとえば、単一のシンボルシーケンスを、数ビットのペイロードデータ、たとえば、ACK/NACK情報、CSFなどによって符号化することができる。
【００５３】
一例では、たとえば、1シンボル/TTI設計など、各TTI 405内に1つのシンボルがある。たとえば、受信デバイスは、第1のTTI 405-aにおいて送信を受信することができ、第2のTTI 405において送信を処理する(たとえば、第1のTTI 405-aにおいてシンボルを復号する)ことができ、第3のTTI 405-cの間にACKメッセージ410を送出することができ、送信デバイスは、第4のTTI 405-d中にACKメッセージを処理する。受信デバイスは、上述した広帯域信号設計態様を利用して、ACKメッセージを送出し、たとえば、TTI 405-cにおける広帯域信号の複数のトーンにわたってACKメッセージを拡散させて、周波数ダイバーシティを達成しながらPAPRを低下させ、パイロットオーバーヘッドを低下させることができる。いくつかの態様では、第3のTTI 405-cの1つのシンボル内に含まれるACKメッセージ410は、パイロット情報、CSF情報、およびACK情報を含むことができる。
【００５４】
別の例では、各TTI 415内に2つのシンボルがあってもよい。たとえば、受信デバイスは、2つのシンボルを含む第1のTTI 415-aにおいて送信を受信することができる。受信デバイスは、第1のTTI 415-a中に、すなわち、TTI 415-aの第2のシンボルを受信する前に、送信を復号し始めることができる。第1のシンボルの復号に基づいて、受信デバイスは、送信が受信デバイス向けに意図されていること、および、確認応答報告が期待されることを判定することができる。したがって、受信デバイスは、たとえ第1のTTI 415-aの第2のシンボルが復号される前であっても、確認応答報告のリソースをスケジューリングし始めることができる。いくつかの態様では、受信デバイスは、パイロット情報、CSF情報、およびACK情報のために別個のシンボルをスケジューリングすることができる。したがって、受信デバイスは、第2のTTI 415-b中に、パイロット情報420およびCSF情報425を送信しながら、第2のシンボルを処理し続けることができる。CSF情報425は、可能性のある再送信のためのリンク適合情報を提供することができる。第2のTTI 415-bの終わりまでに、受信デバイスは、第1のTTI 415-aにおける送信の第2のシンボルの復号を完了していることになり、第3のTTI 415-c中に確認応答情報430および435を送出することができる。確認応答情報430および435は、いくつかの例では、同じ確認応答情報であってもよく、それゆえ、確認応答報告において冗長性を与えることができる。受信デバイスは、任意選択的に、TTI 415あたり2つのシンボルを含む確認応答報告方式において説明されている広帯域波形設計を利用してもよい。
【００５５】
別の例では、各TTI 440内に3つのシンボルがあってもよい。たとえば、受信デバイスは、3つのシンボルを含む第1のTTI 440-aにおいて送信を受信することができる。受信デバイスは、第1のTTI 440-a中に、すなわち、TTI 440-aの第2のシンボルおよび/または第3のシンボルを受信および/または復号する前に、送信を復号し始めることができる。第1のシンボルの復号に基づいて、受信デバイスは、送信が受信デバイス向けに意図されていること、および、確認応答報告が期待されることを判定することができる。したがって、受信デバイスは、たとえ第1のTTI 440-aの第2のシンボルまたは第3のシンボルが復号される前であっても、確認応答報告のリソースをスケジューリングし始めることができる。いくつかの態様では、受信デバイスは、パイロット情報、CSF情報、およびACK情報のために別個のシンボルをスケジューリングすることができる。したがって、受信デバイスは、パイロット情報445を送出することによって、第1のTTI 440-aの間に確認応答報告の部分を開始することができる。受信デバイスは、第2のTTI 440-bの間に、引き続き第2のシンボルおよび第3のシンボルを処理し、CSF情報450およびACK情報455を送信することができる。第2のTTI 440-bの終わりまでに、受信デバイスは、ACK情報455-aおよび455-bの送信を完了していることになる。ACK情報455-aおよび455-bは、いくつかの例では、同じ確認応答情報であってもよく、それゆえ、確認応答報告において冗長性を与えることができる。受信デバイスは、任意選択的に、TTI 440あたり3つのシンボルを含む確認応答報告方式において説明されている広帯域波形設計を利用してもよい。
【００５６】
別の例では、各TTI 460内に4つのシンボルがあってもよい。たとえば、受信デバイスは、4つのシンボルを含む第1のTTI 460-aにおいて送信を受信することができる。受信デバイスは、第1のTTI 460-a中に、すなわち、TTI 460-aの第2のシンボル〜第4のシンボルを受信および/または復号する前に、送信を復号し始めることができる。第1のシンボルの復号に基づいて、受信デバイスは、送信が受信デバイス向けに意図されていること、および、確認応答報告が期待されることを判定することができる。したがって、受信デバイスは、たとえ第1のTTI 460-aの第2のシンボル〜第4のシンボルが復号される前であっても、確認応答報告のリソースをスケジューリングし始めることができる。いくつかの態様では、受信デバイスは、パイロット情報、CSF情報、およびACK情報のために別個のシンボルをスケジューリングすることができる。したがって、受信デバイスは、は、第1のTTI 460-a中に、組み合わされたパイロットおよびCSF情報465ならびに第2のCSF情報470を送出することによって、第1のTTI 460-a中に確認応答報告の部分を開始することができる。いくつかの態様では、送信デバイスは、早期に組み合わされたパイロットおよびCSF情報465を復号し、この情報を使用して、第2の送信がスケジューリングされる必要があるか否かを判定することができる。受信デバイスは、第2のTTI 460-bの間に、引き続き第2のシンボル〜第4のシンボルを処理し、第3のCSF情報475およびACK情報480を送信することができる。第2のTTI 460-bの終わりまでに、受信デバイスは、ACK情報480の送信を完了していることになる。ACK情報480-a、480-b、および/または480-cは、いくつかの例では、同じ確認応答情報であってもよく、それゆえ、確認応答報告において冗長性を与えることができる。受信デバイスは、任意選択的に、TTI 460あたり4つのシンボルを含む確認応答報告方式において説明されている広帯域波形設計を利用してもよい。
【００５７】
TTIあたり複数シンボルの設計の追加の態様は、RTT時間の改善を可能にすることができる。たとえば、第1のシンボルを復号し、送信における残りのシンボルを復号する前に確認応答報告リソースを確保する受信デバイスは、送信の全体的なRTT時間を低減することができる。加えて、TTIあたり複数のシンボルの設計はまた、再送信のためにリンク適合を改善するために、確認応答情報報告およびCSF情報報告が繰り返されることに起因して、追加のロバスト性機能をも提供する。
【００５８】
本開示の追加の態様は、複数の異なる受信デバイスからのiFDMA波形(たとえば、ACKチャネルおよび/または制御チャネル)信号を多重化することを可能にすることができる。多重化によって、iFDMA波形信号間に直交性および周波数ダイバーシティを与えることができる。たとえば、複数の異なる受信デバイスが、多重化を達成するために、iFDMA波形設計におけるトーンに対して異なる非ゼロ値を選択することができる。
【００５９】
図5は、本開示の様々な態様による、確認応答動作の態様を示すスイム図500である。図500は、図1を参照しながら説明したシステム100の態様を示し得る。図500は、受信デバイス505と、送信デバイス510とを含む。受信デバイス505および/または送信デバイス510は、図1に関して上記で説明した基地局105および/またはUE115のうちの1つまたは複数の例であり得る。一般に、図500は、ワイヤレス波通信システムにおけるロバストな低レイテンシ確認応答手順を実施する態様を示す。いくつかの例では、基地局105のうちの1つおよび/またはUE115のうちの1つなどのシステムデバイスは、以下で説明する機能の一部または全部を実行するために、デバイスの機能要素を制御するためのコードの1つまたは複数のセットを実行し得る。
【００６０】
ブロック515において、受信デバイス505は、送信520を送信デバイス510から受信し得る。送信は、TTI、たとえば、ワイヤレス信号の送信と関連付けられる時間間隔であってもよい。TTIは、送信内に1つのシンボルを含むフォーマットを有することができる。
【００６１】
ブロック525において、受信デバイス505は、TTIのフォーマットに基づいてiFDMA波形設計(または何らかの他の広帯域波形設計)を選択することができる。たとえば、受信デバイス505は、広帯域波形の複数のサブチャネルまたはトーンにわたってシンボルを拡散させることを可能にする広帯域波形設計(たとえば、iFDMA波形)を選択することができる。いくつかの例では、確認応答報告に使用されるシンボルはまた、パイロット情報および/またはCSF情報をも伝達することができる。
【００６２】
ブロック530において、受信デバイス505は、TTIのフォーマットに基づいてUL ACKチャネル構成を識別することができる。たとえば、受信デバイス505は、TTIにおける送信内の1つのシンボル基づいてUL ACKチャネル構成を選択することができる。UL ACKチャネル構成の態様はまた、確認応答報告と関連付けられるパイロット情報および/または制御情報(たとえば、CSF)の送信も可能にすることができる。いくつかの例では、広帯域波形設計を含むUL ACKチャネル構成は、よりロバストな確認応答報告を可能にすることができる。
【００６３】
ブロック535において、受信デバイス505は、UL ACKチャネル上で、識別されたUL ACKチャネル構成に従って、送信デバイス510にACKメッセージ540を送ることができる。たとえば、受信デバイス505は、1つまたは複数の後続のTTIにおいて1つのシンボルを使用してACKメッセージを送って、確認応答報告を伝達し、いくつかの例では、パイロット情報、CSF情報、またはそれらの組合せを伝達することができる。
【００６４】
図6は、本開示の様々な態様による、ワイヤレス通信において使用するためのデバイス605のブロック図600を示す。デバイス605は、図1を参照しながら説明したUE115および/または基地局105の1つまたは複数の態様の一例であり得る。デバイス605はまた、図2、図3および図5を参照して説明した受信デバイス205、305、または505の一例でもあり得る。いくつかの例では、デバイス605は、図4を参照しながら説明した特徴の1つまたは複数の態様を実装することができる。デバイス605は、受信機610、ACK構成マネージャ615および/または送信機620を含み得る。デバイス605はまた、プロセッサ(図示せず)であるか、またはそれを含んでもよい。これらのモジュールの各々は、互いに通信することができる。
【００６５】
デバイス605の構成要素は、適用可能な機能のいくつかまたはすべてをハードウェアで実施するように適合された、1つまたは複数の特定用途向け集積回路(ASIC)を使用して個別にまたは集合的に実装され得る。代替的に、機能は、1つまたは複数の集積回路(IC)上で、1つまたは複数の他の処理ユニット(またはコア)によって実行され得る。他の例では、他のタイプの集積回路が使用され得(たとえば、構造化/プラットフォームASIC、フィールドプログラマブルゲートアレイ(FPGA)、および他のセミカスタムIC)、その集積回路は、当技術分野で周知の任意の方式でプログラムされ得る。各モジュールの機能はまた、全体的または部分的に、1つまたは複数の汎用プロセッサまたは特定用途向けプロセッサによって実行されるようにフォーマットされた、メモリ内で具現された命令を用いて実現することもできる。
【００６６】
受信機610は、パケット、ユーザデータ、および/または様々な情報チャネル(たとえば、制御チャネル、データチャネルなど)に関連する制御情報などの情報を受信し得る。受信機610は、TTIにおいて送信を受信するように構成することができ、TTIは、1つのシンボル、または、複数のシンボルを含んでもよい。情報は、ACK構成マネージャ615に、およびデバイス605の他の構成要素に渡されてもよい。
【００６７】
ACK構成マネージャ615は、デバイス605の確認応答報告に関するACKチャネル構成の1つまたは複数の態様を監視、制御、または他の様態で管理することができる。いくつかの例では、ACK構成マネージャ615は、単独でまたは受信機610と協働して、送信デバイスからTTIにおける送信を受信することができる。TTIは、TTIあたり1つのシンボルまたはTTIあたり複数のシンボルを含むフォーマットを有してもよい。ACK構成マネージャ615は、少なくともいくつかの態様では、TTIのフォーマットに基づいて、UL ACKチャネル構成を決定、選択、または他の様態で識別することができる。UL ACKチャネル構成は、広帯域波形設計、TTIあたり複数のシンボルの設計方式、および、確認応答報告のレイテンシを低下させ、PAPRを低減し、ロバスト性を改善する他の特徴を含むことができる。ACK構成マネージャ615は、たとえば、単独でまたは送信機620と協働して、識別されたUL ACKチャネル構成に従って、UL ACKチャネル上でACKメッセージを送ることができる。たとえば、ACKメッセージは、パイロット情報、CSF情報、ACK情報などを含むことができる。
【００６８】
送信機620は、デバイス605の他の構成要素から受信される1つまたは複数の信号を送信することができる。送信機620は、確認応答報告と関連付けられる1つまたは複数のメッセージ、波形設計などを送信することができる。いくつかの例では、トランスミッタ620は、トランシーバにおいてレシーバ610と併置されてもよい。
【００６９】
図7は、様々な例による、ワイヤレス通信において使用するためのデバイス605-aのブロック図700を示す。デバイス605-aは、図1を参照しながら説明したUE115および/または基地局105の1つまたは複数の態様の一例であり得る。デバイス605-aはまた、図6を参照して説明されたデバイス605の一例でもあり得る。デバイス605-aはまた、図2、図3および図5を参照して説明した受信デバイス205、305、または505の一例でもあり得る。いくつかの例では、デバイス605-aは、図4を参照しながら説明した特徴の1つまたは複数の態様を実装することができる。デバイス605-aは、受信機610-a、ACK構成マネージャ615-a、および/または送信機620-aを含み得、それらはデバイス605の対応するモジュールの例であり得る。デバイス605-aはまた、プロセッサ(図示せず)を含み得る。これらの構成要素の各々は、互いに通信し得る。ACK構成マネージャ615-aは、シンボル/TTIマネージャ705、UL ACKチャネル構成マネージャ710、および/またはUL ACK送信マネージャ715を含むことができる。受信機610-aおよび送信機620-aは、それぞれ図6の受信機610および送信機620の機能を実行することができる。
【００７０】
シンボル/TTIマネージャ705は、デバイス605-aの1つまたは複数のシンボルを含むTTIフォーマットの1つまたは複数の態様を監視、制御、または他の様態で管理することができる。たとえば、シンボル/TTIマネージャ705は、デバイス605-aにおいて受信される送信に基づいてTTIのフォーマットを決定することができる。TTIフォーマットは、TTIあたり1つのシンボルまたはTTIあたり複数のシンボルを含んでもよい。シンボル/TTIマネージャ705は、デバイス605-aの1つまたは複数のモジュールに、TTIのフォーマットを示す情報を出力することができる。いくつかの例では、送信は、優先度の高い送信、たとえば、少なくともいくつかの態様では、他のデバイスとの干渉を引き起こすなど、受信および確認応答報告が他の考慮事項よりも重要であり得る必要不可欠な送信と関連付けられ得る。
【００７１】
UL ACK構成マネージャ710は、デバイス605-aのUL ACKチャネル構成の決定の1つまたは複数の態様を監視、制御、または他の様態で管理することができる。たとえば、UL ACKチャネル構成マネージャ710は、TTIのフォーマットに少なくとも部分的に基づいて、UL ACKチャネル構成を識別することができる。
【００７２】
いくつかの例では、TTIのフォーマットは、送信のための複数のシンボルを含むことができる。UL ACKチャネル構成マネージャ710は、TTIにおける送信内の複数のシンボルのうちの第1のシンボルを復号し、送信内の第2の(または他の残りの)シンボルを復号する前に、ACKメッセージの伝達と関連付けられるリソースの少なくとも一部分をスケジューリングすることができる。デバイス605-aは、送信内の残りのシンボルを受信および/または復号する前に、リソースを利用して、ACKメッセージの少なくとも一部分を送ることができる。ACKメッセージは、パイロット情報、CSF情報、確認応答情報(たとえば、ACK/NACK)、またはそれらの組合せを含むことができる。
【００７３】
いくつかの例では、UL ACKチャネル構成マネージャ710は、後続のTTI、たとえば、その中で送信が受信されたTTIの後のTTIにおいて、2つ以上のシンボル内でACKメッセージを送ることを含む構成を識別することができる。ACKメッセージ、または、ACKメッセージの少なくとも一部分は、確認応答報告のリンクバジェットの考慮事項を低減し、かつ/または、PAPRを低下させるために、複数のシンボルにわたって送信することができる。
【００７４】
いくつかの例では、UL ACKチャネル構成マネージャ710は、確認応答報告の広帯域波形設計、たとえば、iFDMA波形設計を選択することを含む構成を識別することができる。
【００７５】
いくつかの例では、TTIのフォーマットは、送信のための単一のシンボルを含むことができる。そのような例では、UL ACKチャネル構成マネージャ710はまた、広帯域波形設計、たとえば、iFDMA波形設計、周波数ホッピングLFDMA波形設計などを含む構成を識別することもできる。したがって、デバイス605-aは、広帯域波形設計を利用して、確認応答報告を実行することができる。
【００７６】
いくつかの例では、UL ACKチャネル構成マネージャ710は、受信される送信と関連付けられる通信メトリックを識別することができる。例示的な通信メトリックは、限定ではないが、ACKメッセージと関連付けられるレイテンシ属性、または、ACKメッセージと関連付けられる周波数ダイバーシティ属性、または、ACKメッセージと関連付けられるPAPR属性、または、それらの組合せを含んでもよい。UL ACKチャネル構成マネージャ710は、通信メトリックに基づいてiFDMA波形の非ゼロトーン値を選択することができる。非ゼロトーン値は、iFDMA波形内の所定数のトーン内の非ゼロトーンの数に対応することができる。たとえば、非ゼロ値は、2、4、6、8、10、12、14、16などであってもよく、iFDMA波形内の所定数のトーンに基づいてもよい。いくつかの例では、iFDMA波形は、16個の波形を含むことができる。
【００７７】
UL ACK送信マネージャ715は、デバイス605-aの確認応答報告に関する送信メッセージまたは情報の1つまたは複数の態様を監視、制御、または他の様態で管理することができる。たとえば、UL ACKチャネル構成マネージャ715は、識別されたUL ACKチャネル構成によるUL ACKチャネルを介したACKメッセージの送信の1つまたは複数の態様を管理することができる。たとえば、UL ACK送信マネージャ715は、シンボル/TTIマネージャ705および/またはUL ACKチャネル構成マネージャ710と通信して、確認応答報告の様々な態様を決定することができる。
【００７８】
いくつかの例では、UL ACK送信マネージャ715は、複数のシンボルのフォーマットを有するTTIにおける送信内のすべてのシンボルを受信および/または復号する前に、ACKメッセージの少なくとも一部分を送ることができる。UL ACK送信マネージャ715は、リソースがスケジューリングされ、確認応答報告に割当てられると、送信機620-aと協働して、ACKメッセージの部分、たとえば、パイロット情報、CSF情報などを送ることができる。
【００７９】
図8は、本開示の様々な態様による、ワイヤレス通信で使用するためのユーザ機器115-aを含むシステム800の部分のブロック図を示す。いくつかの例では、UE115-aは、図1のUE115、それぞれ、図2、図3、および図5の受信デバイス205、305、および505、ならびに/または、図6および図7のデバイス605の一例であり得る。UE115-aは、図6および図7に関連して説明したACK構成マネージャ615の一例であり得、その機能を実行することができるACK構成マネージャ615-bを含むことができる。UE115-aは、通信を送信するための構成要素および通信を受信するための構成要素を含む、双方向音声およびデータ通信のための構成要素を含み得る。たとえば、UE115-aは、基地局および/または他のUEと双方向に通信することができる。
【００８０】
UE115-aは、各々が、直接的または間接的に(たとえば、バス845を介して)互いと通信し得る、プロセッサ805、メモリ815(たとえば、ソフトウェア820を含む)、送受信機835、および1つまたは複数のアンテナ840を含み得る。送受信機835は、前述のように、アンテナ840または有線もしくはワイヤレスリンクを介して、1つまたは複数のネットワークと双方向に通信することができる。たとえば、トランシーバ835は、基地局または別のUEと双方向に通信し得る。トランシーバ835は、パケットを変調し、変調されたパケットを送信のためにアンテナ840に供給し、アンテナ840から受信されたパケットを復調するためのモデムを含み得る。UE115-aは単一のアンテナ840を含んでよいが、UE115-aはまた、複数のワイヤレス送信を同時に送信または受信することができる複数のアンテナ840を有してもよい。
【００８１】
メモリ815は、ランダムアクセスメモリ(RAM)および読取り専用メモリ(ROM)を含んでもよい。メモリ815は、実行されると、本明細書で説明する様々な機能(たとえば、確認応答報告方式など)をプロセッサ805に実行させる命令を含む、コンピュータ可読、コンピュータ実行可能ソフトウェア/ファームウェアコード820を記憶し得る。代替的に、ソフトウェア/ファームウェアコード820は、プロセッサ805によって直接的に実行可能ではなく、(たとえば、コンパイルされ、実行されるとき)本明細書に記載の機能をコンピュータに実施させ得る。プロセッサ805は、インテリジェントハードウェアデバイス(たとえば中央処理装置(CPU)、マイクロコントローラ、ASICなど)を含み得る。
【００８２】
ACK構成マネージャ615-bは、UE115-aの確認応答報告動作に関連して図1〜図7を参照して説明した特徴および/または機能の一部またはすべてを実行および/または制御するように構成することができる。いくつかの例では、ACK構成マネージャ615-bは、UE115-aのTTIにおいて送信を受信し、TTIのフォーマットに基づいてUL ACKチャネル構成を識別し、識別されたUL ACKチャネル構成に従って、UL ACKチャネルを介してACKメッセージを送ることができる。ACK構成マネージャ615-b、もしくはその一部はプロセッサを含んでもよく、かつ/または、ACK構成マネージャ615-bの機能の一部またはすべては、プロセッサ805によって、かつ/もしくは、プロセッサ805と連係して実行されてもよい。いくつかの例では、ACK構成マネージャ615-bは、図6および/または図7を参照して説明したACK構成マネージャ615の一例であり得る。たとえば、ACK構成マネージャ615-bは、シンボル/TTIマネージャ705-a、UL ACKチャネル構成マネージャ710-a、および/またはUL ACK送信マネージャ715-aを含んでもよく、これは、それぞれ図7を参照して説明したシンボル/TTIマネージャ705、UL ACKチャネル構成マネージャ710、および/またはUL ACK送信マネージャ715の一例であり得、その機能を実行することができる。
【００８３】
図9は、本開示の様々な態様による、ワイヤレス通信において使用する基地局105-a(たとえば、eNBの一部またはすべてを形成する基地局)のブロック図900を示す。いくつかの例では、基地局105-aは、図1を参照して説明した基地局105のうちの1つもしくは複数の態様、それぞれ図2、図3、および図5を参照して説明した受信デバイス205、305、および505のうちの1つもしくは複数の態様、ならびに/または、図6および/もしくは図7を参照して説明した基地局として構成されているときのデバイス605のうちの1つもしくは複数の態様の一例であり得る。基地局105-aは、図1〜図8を参照しながら説明した基地局および/または装置の特徴および機能のうちの少なくとも一部を実施するかまたは容易にするように構成されてよい。
【００８４】
基地局105-aは、基地局プロセッサ910、基地局メモリ920、少なくとも1つの基地局送受信機(基地局送受信機モジュール950によって表される)、少なくとも1つの基地局アンテナ(基地局アンテナ955によって表される)、および/またはACK構成マネージャ615-cを含み得る。基地局105-aはまた、基地局通信マネージャ930および/またはネットワーク通信マネージャ940の1つまたは複数を含み得る。これらのモジュールの各々は、1つまたは複数のバス935を通じて、互いに、直接または間接的に通信していてよい。
【００８５】
基地局メモリ920は、ランダムアクセスメモリ(RAM)および/または読取り専用メモリ(ROM)を含み得る。基地局メモリ920は、実行されると、基地局プロセッサ910に、ワイヤレス通信に関して本明細書において説明される様々な機能を実行させるように(たとえば、ワイヤレス通信システムにおける確認応答報告などを実行させるように)構成された命令を含む、コンピュータ可読コンピュータ実行可能ソフトウェア/ファームウェアコード925を記憶し得る。代替的に、コンピュータ可読コンピュータ実行可能ソフトウェア/ファームウェアコード925は、基地局プロセッサ910によって直接実行可能ではなくてもよいが、(たとえば、コンパイルされ実行されると)本明細書で説明された様々な機能を基地局105-aに実施させるように構成され得る。
【００８６】
基地局プロセッサ910は、インテリジェントハードウェアデバイス、たとえば中央処理装置(CPU)、マイクロコントローラ、ASICなどを含み得る。基地局プロセッサ910は、基地局送受信機950、基地局通信マネージャ930、および/またはネットワーク通信マネージャ940を通じて受信される情報を処理することができる。基地局プロセッサ910はまた、アンテナ955を通じた送信のために基地局送受信機950へ、1つもしくは複数の他の基地局105-bおよび105-cへの送信のために基地局通信マネージャ930へ、ならびに/またはコアネットワーク945への送信のためにネットワーク通信マネージャ940へ送られるべき情報を処理し得、コアネットワーク945は、図1を参照しながら説明したコアネットワーク130の1つまたは複数の態様の一例であり得る。基地局プロセッサ910は、単独で、またはACK構成マネージャ615とともに、基地局105-aの確認応答報告手順の様々な態様を取り扱うことができる。
【００８７】
基地局送受信機950は、パケットを変調し、送信のために変調されたパケットを基地局アンテナ955に提供し、かつ基地局アンテナ955から受信されたパケットを復調するように構成されたモデムを含み得る。基地局送受信機950は、いくつかの例では、1つまたは複数の基地局送信機モジュールおよび1つまたは複数の別個の基地局受信機モジュールとして実装され得る。基地局送受信機950は、第1の無線周波数スペクトル帯域および/または第2の無線周波数スペクトル帯域内の通信をサポートし得る。基地局送受信機950は、図1を参照して説明されたUE115の1つまたは複数などの1つまたは複数のUEまたは装置と、アンテナ955を介して双方向に通信するように構成され得る。基地局105-aは、たとえば、複数の基地局アンテナ955(たとえば、アンテナアレイ)を含み得る。基地局105-aは、ネットワーク通信マネージャ940を通じてコアネットワーク945と通信することができる。基地局105-aはまた、基地局通信マネージャ930を使用して、基地局105-bや105-cなどの他の基地局と通信し得る。
【００８８】
ACK構成マネージャ615-cは、基地局105-aの確認応答報告動作に関連して図1〜図8を参照して説明した特徴および/または機能の一部またはすべてを実行および/または制御するように構成することができる。いくつかの例では、ACK構成マネージャ615-cは、基地局105-aのTTIにおいて送信を受信し、TTIのフォーマットに基づいてUL ACKチャネル構成を識別し、識別されたUL ACKチャネル構成に従って、UL ACKチャネルを介してACKメッセージを送ることができる。ACK構成マネージャ615-c、もしくはその一部はプロセッサを含んでもよく、かつ/または、ACK構成マネージャ615-bの機能の一部またはすべては、基地局プロセッサ910によって、かつ/もしくは、基地局プロセッサ910と連係して実行されてもよい。いくつかの例では、ACK構成マネージャ615-cは、図6、図7、および/または図8を参照して説明したACK構成マネージャ615の一例であり得る。たとえば、ACK構成マネージャ615-cは、シンボル/TTIマネージャ705-b、UL ACKチャネル構成マネージャ710-b、および/またはUL ACK送信マネージャ715-bを含んでもよく、これは、それぞれ図7を参照して説明したシンボル/TTIマネージャ705、UL ACKチャネル構成マネージャ710、および/またはUL ACK送信マネージャ715の一例であり得、その機能を実行することができる。
【００８９】
図10は、本開示の様々な態様による、ワイヤレス通信のための方法1000を示すフローチャートを示す。方法1000の動作は、図1〜図9を参照して説明したような、UE115もしくはその構成要素によって、基地局105もしくはその構成要素によって、および/または、受信デバイスもしくはその構成要素によって実施されてもよい。たとえば、方法1000の動作は、図6〜図9を参照して説明したように、ACK構成マネージャ615によって実行され得る。いくつかの例では、UE115または基地局105は、以下で説明する機能を実行するためにUE115または基地局105の機能要素を制御するためのコードのセットを実行し得る。付加的にまたは代替的に、UE115または基地局105は、専用ハードウェアを使用して以下で説明する機能の態様を実行し得る。便宜上、方法1000は、UE115または基地局105のような受信デバイスを参照して説明する。
【００９０】
ブロック1005において、方法1000は、受信デバイスが、TTIにおける送信を受信することを含むことができる。送信は、送信デバイスから受信することができる。TTIは、送信内のシンボルの数に少なくとも部分的に基づくフォーマットを有することができる。
【００９１】
ブロック1010において、方法1000は、受信デバイスが、TTIのフォーマットに少なくとも部分的に基づいて、UL ACKチャネル構成を識別することを含むことができる。たとえば、UL ACKチャネル構成は、確認応答報告の広帯域波形信号を選択することを含むことができる。他の例は、付加的にまたは代替的に、TTIあたり複数のシンボルの設計を含んでもよい。
【００９２】
ブロック1015において、方法1000は、受信デバイスが、UL ACKチャネル構成に従ってUL ACKチャネルを介してACKメッセージを送ることを含むことができる。たとえば、ACKメッセージは、ACK情報、パイロット情報、CSF情報などを伝達する1つまたは複数のシンボルを含むことができる広帯域波形信号において送ることができる。
【００９３】
ブロック1005、1010、および1015での動作は、図6〜図9を参照しながら説明したACK構成マネージャ615を使用して実施されてもよい。
【００９４】
このように、方法1000はワイヤレス通信を可能にすることができる。方法1000は一実装形態にすぎないこと、および、方法1000の動作は他の実装形態が可能であるように並べ替えられるか、または別様に修正され得ることに留意されたい。
【００９５】
図11は、本開示の様々な態様による、ワイヤレス通信のための方法1100を示すフローチャートを示す。方法1100の動作は、図1〜図9を参照して説明したような、UE115もしくはその構成要素によって、基地局105もしくはその構成要素によって、および/または、受信デバイスもしくはその構成要素によって実施されてもよい。たとえば、方法1100の動作は、図6〜図9を参照して説明したように、ACK構成マネージャ615によって実行され得る。いくつかの例では、UE115または基地局105は、以下で説明する機能を実行するためにUE115または基地局105の機能要素を制御するためのコードのセットを実行し得る。付加的にまたは代替的に、UE115または基地局105は、専用ハードウェアを使用して以下で説明する機能の態様を実行し得る。便宜上、方法1100は、UE115または基地局105のような受信デバイスを参照して説明する。
【００９６】
ブロック1105において、方法1100は、受信デバイスが、TTIにおける送信を受信することを含むことができる。送信は、送信デバイスから受信することができる。TTIは、送信内に複数のシンボルを含むフォーマットを有することができる。たとえば、TTIにおける送信内に2つ、3つ、4つなどのシンボルがあってもよい。
【００９７】
ブロック1110において、方法1100は、受信デバイスが、TTIにおける送信内の複数のシンボルのうちの第1のシンボルを復号することを含むことができる。たとえば、受信デバイスは、送信内の第2のシンボル、第3のシンボルなどを受信および/または復号する前に、第1のシンボルを復号することができる。第1のシンボルの復号に基づいて、受信デバイスは、送信が受信デバイスにアドレス指定されていること、および、確認応答報告が期待されることを判定することができる。
【００９８】
ブロック1115において、方法1100は、受信デバイスが、TTIにおける送信内の複数のシンボルのうちの第2のシンボルを復号する前に、ACKメッセージの伝達と関連付けられるリソースの少なくとも一部分をスケジューリングすることを含むことができる。たとえば、受信デバイスは、ACKメッセージの構成要素として、パイロット情報、CSF情報、ACK情報などを伝達するために、1つまたは複数のシンボルをスケジューリングすることができる。
【００９９】
ブロック1120において、方法1100は、受信デバイスが、送信内の複数のシンボルの各シンボルを受信する前に、リソースを使用して、ACKメッセージの少なくとも一部分を送ることを含むことができる。たとえば、受信デバイスは、スケジューリングされたリソースを使用して、パイロット情報、CSF情報、または組合せパイロット/CSF情報を送ることができる。
【０１００】
ブロック1125において、方法1100は、受信デバイスが、TTIのフォーマット、たとえば、TTIにおける送信内の複数のシンボルに少なくとも部分的に基づいて、UL ACKチャネル構成を識別することを含むことができる。たとえば、UL ACKチャネル構成は、確認応答報告のための広帯域波形信号、および/または、依然として送信を受信しながら、確認応答報告手順に先んじるためにTTIあたり利用可能なシンボル、たとえば、スケジューリングリソースを活用するTTIあたり複数のシンボルの設計を選択することを含むことができる。
【０１０１】
ブロック1130において、方法1100は、受信デバイスが、UL ACKチャネル構成に従ってUL ACKチャネルを介してACKメッセージを送ることを含むことができる。たとえば、ACKメッセージは、ACK情報、パイロット情報、CSF情報などを伝達する1つまたは複数のシンボルを含むことができる広帯域波形信号において送ることができる。
【０１０２】
ブロック1105、1110、1115、1120、1125、および/または1130における動作は、図6〜図9を参照しながら説明したACK構成マネージャ615を使用して実施されてもよい。
【０１０３】
このように、方法1100はワイヤレス通信を可能にすることができる。方法1100は一実装形態にすぎないこと、および、方法1100の動作は他の実装形態が可能であるように並べ替えられるか、または別様に修正され得ることに留意されたい。
【０１０４】
図12は、本開示の様々な態様による、ワイヤレス通信のための方法1200を示すフローチャートを示す。方法1200の動作は、図1〜図9を参照して説明したような、UE115もしくはその構成要素によって、基地局105もしくはその構成要素によって、および/または、受信デバイスもしくはその構成要素によって実施されてもよい。たとえば、方法1200の動作は、図6〜図9を参照して説明したように、ACK構成マネージャ615によって実行され得る。いくつかの例では、UE115または基地局105は、以下で説明する機能を実行するためにUE115または基地局105の機能要素を制御するためのコードのセットを実行し得る。付加的にまたは代替的に、UE115または基地局105は、専用ハードウェアを使用して以下で説明する機能の態様を実行し得る。便宜上、方法1200の機能は、UE115または基地局105のような受信デバイスを参照して説明する。
【０１０５】
ブロック1205において、方法1200は、受信デバイスが、TTIにおける送信を受信することを含むことができる。送信は、送信デバイスから受信することができる。TTIは、送信内に1つのシンボルを含むフォーマットを有することができる。
【０１０６】
ブロック1210において、方法1200は、受信デバイスが、TTIのフォーマットに少なくとも部分的に基づいて、UL ACKチャネル構成を識別することを含むことができる。たとえば、UL ACKチャネル構成は、確認応答報告の広帯域波形信号を選択することを含むことができる。いくつかの例では、広帯域波形信号は、利用可能なトーンあたり設定された数の非ゼロトーン、たとえば、16個のトーンあたり4つの非ゼロトーンを有するiFDMA波形信号を含むことができる。
【０１０７】
ブロック1215において、方法1200は、受信デバイスが、UL ACKチャネル構成に従ってUL ACKチャネルを介してACKメッセージを送ることを含むことができる。たとえば、ACKメッセージは、ACK情報、パイロット情報、CSF情報などを伝達する広帯域波形信号において送ることができる。ACKメッセージは、周波数ダイバーシティおよび信頼性を達成するために、広帯域信号の複数のトーンにわたって拡散することができる。
【０１０８】
ブロック1205、1210、および1215での動作は、図6〜図9を参照しながら説明したACK構成マネージャ615を使用して実施されてもよい。
【０１０９】
このように、方法1200はワイヤレス通信を可能にすることができる。方法1200は一実装形態にすぎないこと、および、方法1200の動作は他の実装形態が可能であるように並べ替えられるか、または別様に修正され得ることに留意されたい。
【０１１０】
いくつかの例では、方法1000〜1200のうちの2つ以上からの態様が、組み合わされてよい。方法1000などは単なる例示的実装であること、および方法1000〜1200の動作は、他の実装が可能となるように再構成され、あるいは修正され得ることに留意されたい。
【０１１１】
本明細書で説明される技法は、CDMA、TDMA、FDMA、OFDMA、SC-FDMA、および他のシステムなどの様々なワイヤレス通信システムのために使用することができる。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000、IS-95、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA（登録商標）)およびCDMAの他の変形態を含む。TDMAシステムは、モバイル通信用グローバルシステム(GSM（登録商標）)などの無線技術を実装し得る。OFDMAシステムは、ウルトラモバイルブロードバンド(UMB)、発展型UTRA(E-UTRA)、IEEE802.11(WiFi)、IEEE802.16(WiMAX)、IEEE802.20、Flash-OFDM(商標)などの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSM（登録商標）は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書において説明される技法は、上述のシステムおよび無線技術、ならびに免許不要帯域幅および/または共有帯域幅を介してのセルラー(たとえば、LTE)通信を含む、他のシステムおよび無線技術において使用することができる。しかしながら、これまでの説明は、例としてLTE/LTE-Aシステムを説明し、これまでの説明の大部分においてLTE用語が使用されるが、本技法はLTE
/LTE-A適用例以外に適用可能である。
【０１１２】
添付の図面に関して上に記載された詳細な説明は、例を説明しており、実装され得る、または特許請求の範囲内にある唯一の例を表すものではない。この説明において使用される「例」および「例示的」という用語は、「例、事例、または例示として機能すること」を意味し、「好ましい」または「他の例よりも有利である」ことを意味しない。詳細な説明は、説明された技法の理解を与える目的で、具体的な詳細を含む。しかしながら、これらの技法は、これらの具体的な詳細を伴わずに実践され得る。場合によっては、説明される例の概念を不明瞭にすることを避けるために、よく知られている構造および装置がブロック図の形で示されている。
【０１１３】
様々な異なる技術および技法のうちのいずれかを使用して、情報および信号が表される場合がある。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１１４】
本明細書の開示に関連して説明される様々な例示的なブロックおよび構成要素は、本明細書に記載の機能を実行するように設計された汎用プロセッサ、デジタル信号プロセッサ(DSP)、ASIC、FPGAまたは他のプログラマブル論理デバイス、ディスクリートゲートまたはトランジスタロジック、ディスクリートハードウェア構成要素、あるいはそれらの任意の組合せで実装または実行され得る。汎用プロセッサはマイクロプロセッサであってもよいが、代替として、プロセッサは任意の従来のプロセッサ、コントローラ、マイクロコントローラ、または状態機械であってもよい。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは他の任意のそのような構成として実装され得る。
【０１１５】
本明細書で説明される機能は、ハードウェア、プロセッサによって実行されるソフトウェア、ファームウェア、またはそれらの任意の組合せで実装され得る。プロセッサによって実行されるソフトウェアに実装される場合、機能は、1つまたは複数の命令あるいはコードとしてコンピュータ可読媒体上に記憶されるか、またはコンピュータ可読媒体を介して送信される場合がある。他の例および実施形態も、本開示および添付の特許請求の範囲の範囲および趣旨に含まれる。たとえば、ソフトウェアの性質に起因して、上で説明された機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理的位置において実装されるように分散されることを含め、様々な位置に物理的に位置し得る。特許請求の範囲を含む本明細書で使用されるように、用語「および/または」は、2つ以上の項目のリストにおいて使用される場合、列挙された項目のうちのいずれか1つが単独で使用されてもよく、または列挙された項目のうちの2つ以上の任意の組合せが使用されてもよいことを意味する。たとえば、組成物が構成要素A、B、および/またはCを含むものとして記載されている場合、組成物は、Aのみ、Bのみ、Cのみ、AとBとの組合せ、AとCとの組合せ、BとCとの組合せ、あるいはAとBとCとの組合せを含み得る。また、特許請求の範囲を含む本明細書で使用されるように、項目のリスト(たとえば、「〜のうちの少なくとも1つ」あるいは「〜のうちの1つまたは複数」などの語句によって始められる項目のリスト)において使用される「または」は選言リストを示し、たとえば、「A、B、またはCのうちの少なくとも1つ」のリストは、A、またはB、またはC、またはAB、またはAC、またはBC、またはABC(すなわち、AおよびBおよびC)を意味する。
【０１１６】
コンピュータ可読媒体は、コンピュータ記憶媒体と、コンピュータプログラムのある場所から別の場所への転送を容易にする任意の媒体を含む通信媒体の両方を含む。記憶媒体は、汎用または専用コンピュータによってアクセス可能である任意の入手可能な媒体とすることができる。限定ではなく例として、コンピュータ可読媒体は、RAM、ROM、EEPROM、フラッシュメモリ、CD-ROMまたは他の光ディスクストレージ、磁気ディスクストレージまたは他の磁気ストレージデバイス、あるいは所望のプログラムコード手段を命令またはデータ構造の形式で搬送または記憶するために使用され得、汎用コンピュータまたは専用コンピュータ、あるいは汎用プロセッサまたは専用プロセッサによってアクセスされ得る他の任意の媒体を備えることができる。また、任意の接続は、適切にコンピュータ可読媒体と呼ばれる。たとえば、ソフトウェアが、同軸ケーブル、光ファイバケーブル、ツイストペア、デジタル加入者回線(「DSL」)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。ディスク(disk)およびディスク(disc)は、本明細書で使用するとき、コンパクトディスク(disc)(CD)、レーザーディスク（登録商標）(disc)、光ディスク(disc)、デジタル多用途ディスク(disc)(DVD)、フロッピーディスク(disk)、およびBlu-ray（登録商標）ディスク(disc)を含み、ディスク(disk)は、通常、データを磁気的に再生し、ディスク(disc)は、データをレーザーで光学的に再生する。上記の組合せも、コンピュータ可読媒体の範囲内に含まれる。
【０１１７】
本開示のこれまでの説明は、当業者が本開示を作成または使用することを可能にするために提供される。本開示に対する様々な修正が当業者には容易に明らかとなり、本明細書で定義される一般原理は、本開示の範囲から逸脱することなく他の変形形態に適用され得る。したがって、本開示は、本明細書で説明した例および設計に限定されるべきではなく、本明細書で開示される原理および新規な特徴に一致する最も広い範囲が与えられるべきである。
【符号の説明】
【０１１８】
100  ワイヤレス通信システム
105  基地局
110  地理的カバレージエリア
115  UE
125  通信リンク
130  コアネットワーク
134  バックホールリンク
205  受信デバイス
210  送信デバイス
220  送信
235  ACKメッセージ
305  受信デバイス
310  送信デバイス
320  送信
350  ACKメッセージ
405  TTI
410  ACKメッセージ
415  TTI
430  確認応答情報
435  確認応答情報
440  TTI
445  パイロット情報
450  CSF情報
455  ACK情報
460  TTI
465  CSF情報
475  CSF情報
480  ACK情報
505  受信デバイス
510  送信デバイス
520  送信
540  ACKメッセージ
605  デバイス
610  受信機
615  ACK構成マネージャ
620  送信機
705  シンボル/TTIマネージャ
710  UL ACKチャネル構成マネージャ
715  UL ACK送信マネージャ
800  システム
805  プロセッサ
815  メモリ
820  ソフトウェア
835  送受信機
840  アンテナ
910  基地局プロセッサ
920  基地局メモリ
925  コンピュータ可読コンピュータ実行可能ソフトウェア/ファームウェアコード
930  基地局通信マネージャ
935  バス
940  ネットワーク通信マネージャ
945  コアネットワーク
950  基地局送受信機
955  基地局アンテナ
【図１】
2018513593.tif 000003
【図２】
2018513593.tif 000004
【図３】
2018513593.tif 000005
【図４】
2018513593.tif 000006
【図５】
2018513593.tif 000007
【図６】
2018513593.tif 000008
【図７】
2018513593.tif 000009
【図８】
2018513593.tif 000010
【図９】
2018513593.tif 000011
【図１０】
2018513593.tif 000012
【図１１】
2018513593.tif 000013
【図１２】
2018513593.tif 000014
【国際調査報告】
2018513593.tif 000015
2018513593.tif 000016
2018513593.tif 000017